(57)【特許請求の範囲】
【請求項１】
ペン芯を外芯と内芯とで構成し、前記外芯に形成した軸心方向に延びる貫通孔へ前記内芯を挿着した状態で、前記外芯のインキ溝と前記内芯のインキ流通路とを連設させると共に、ペン体に形成した切り割りと前記外芯のインキ溝とが連設するよう当該ペン体を前記ペン芯に配設し、前記ペン体および前記ペン芯の後方挿着部を軸筒の前方開口部に圧入して嵌着する二重ペン芯構造の万年筆において、前記外芯の後方挿着部におけるインキ溝に、当該インキ溝を形成する両内側壁間を横架するリブを形成すると共に、当該リブの上方に前記インキ溝の前部と後部とを連続させる浅溝を形成し、前記外芯の外側面の中間部の下方に突起を設けることにより、前記ペン芯の前記突起を設けた位置を前記軸筒の内側壁に対して最も強く当接させ、前記突起の上方に前記リブを位置させることにより、前記ペン芯の後方挿着部を前記軸筒の前方開口部に圧入した際に、前記外芯のインキ溝の巾が狭まることのないよう前記リブで保持させることを特徴とした二重ペン芯構造の万年筆。
【請求項２】
前記浅溝の深さ寸法を前記インキ溝の巾寸法より大きく形成したことを特徴とした請求項１に記載の二重ペン芯構造の万年筆。
【発明の詳細な説明】
【技術分野】
【０００１】
本発明は、ペン芯を外芯と内芯とで構成した二重ペン芯構造の万年筆に関する。
【背景技術】
【０００２】
従来より、一般的な万年筆の構造は、軸筒内部に設けたインキ収容部内のインキが、軸筒の前方に形成した前方開口部に挿着したペン芯によってペン体へ供給され、ペン体の筆記端にて筆記を行うことができる構造になっている。この構造では、ペン芯に設けたインキ流通溝の毛細管力でインキがペン芯の前方へ流動し、インキ流通溝の上方と隣接させたペン体の切り割りの毛細管力によって、インキがペン体の前方にある筆記端まで流動して筆記が可能となる。
【０００３】
尚、ペン芯の構造に関しては様々な形態があり、その中でも、実公昭３１−６８１５号公報や特許第２８５８７４０号公報にあるように、外芯と内芯とで二重ペン芯を構成する万年筆の構造では、インキの吸入を行うための経路が外芯と内芯との間に設けてあることから、インキ吸入の際に、インキ瓶のインキに対してペン芯の前端部に形成されたインキ流通路および空気通路を浸けることでインキの吸入を行うことが可能であり、一般的なペン芯のように筆記端から軸筒の先端部までインキに浸けて吸入を行う構造に比べて軸筒を汚さないですむことから、インキ吸入の度にインキで汚れた軸筒を拭き取る必要がなく、特にインキ色が沈着しやすい透明や薄い色の軸筒の万年筆において適している。
【０００４】
ところで、ペン体およびペン芯を軸筒へ装着する方法としては、特開２００１−１３８６８５号公報にあるように、ペン体およびペン芯の後方を長く延設した後方挿着部を、ペン体とペン芯と重ねて軸筒の前方開口部に圧入して嵌着するという方法が一般的に知られている。しかしながらこの装着方法は、前述した二重ペン芯構造の万年筆の場合、外芯に内芯を挿着させる貫通孔が軸心方向に延びて形成されていることから、外芯の横断面方向において変形が生じやすく、ペン体およびペン芯を軸筒の前方開口部に圧入して嵌着した際に、外芯に設けてあるインキ溝の巾が狭まり、インキの流出を悪くしてしまい、筆記不良をまねく虞があった。この現象は特に、外芯の下面に突起を設け、軸筒へのペン体およびペン芯の圧入力を強くさせる構造において発生しやすい。尚、軸筒へのペン体およびペン芯の圧入力を弱くして、外芯の変形を防いだ場合には、軸筒からペン体やペン芯が脱落してしまうといった別の問題が生じていた。
【先行技術文献】
【特許文献】
【０００５】
【特許文献１】実公昭３１−６８１５号公報
【特許文献２】特許第２８５８７４０号公報
【特許文献３】特開２００１−１３８６８５号公報
【発明の概要】
【発明が解決しようとする課題】
【０００６】
本発明の目的は、二重ペン芯構造の万年筆において、軸筒からのペン体やペン芯の抜け落ちを防ぎ、且つ外芯の変形による筆記不良が生じない構造を得ることにある。
【課題を解決するための手段】
【０００７】
本発明は、
「１．ペン芯を外芯と内芯とで構成し、前記外芯に形成した軸心方向に延びる貫通孔へ前記内芯を挿着した状態で、前記外芯のインキ溝と前記内芯のインキ流通路とを連設させると共に、ペン体に形成した切り割りと前記外芯のインキ溝とが連設するよう当該ペン体を前記ペン芯に配設し、前記ペン体および前記ペン芯の後方挿着部を軸筒の前方開口部に圧入して嵌着する二重ペン芯構造の万年筆において、前記外芯の後方挿着部におけるインキ溝に、当該インキ溝を形成する両内側壁間を横架するリブを形成すると共に、当該リブの上方に前記インキ溝の前部と後部とを連続させる浅溝を形成し、前記外芯の外側面の中間部の下方に突起を設けることにより、前記ペン芯の前記突起を設けた位置を前記軸筒の内側壁に対して最も強く当接させ、前記突起の上方に前記リブを位置させることにより、前記ペン芯の後方挿着部を前記軸筒の前方開口部に圧入した際に、前記外芯のインキ溝の巾が狭まることのないよう前記リブで保持させることを特徴とした二重ペン芯構造の万年筆。
２．前記浅溝の深さ寸法を前記インキ溝の巾寸法より大きく形成したことを特徴とした１項に記載の二重ペン芯構造の万年筆。」である。
【０００８】
外芯のインキ溝に設けるリブは、インキ溝内における貫通孔に接する位置に設けることで射出成形時の成形性や金型構造が簡素化できる。また、リブの上方に浅溝を形成することで、リブを設けた位置においても、インキ溝から溢れたインキをペン芯の側面に設けた櫛溝に吸入させることができる。本発明におけるリブは、ペン体およびペン芯を軸筒の前方開口部に圧入させる際に、外芯の横断面方向においてインキ溝を狭める方向に力が掛かる箇所に設けることが肝要であり、特に外芯の下面に突起を設ける場合には、軸心方向において突起の位置と同じ位置にリブを設けるものとする。尚、リブの上方に設ける浅溝の深さ寸法を、インキ溝の巾寸法より大きく形成することにより、浅溝における毛細管力が当該浅溝の前後のインキ溝の毛細管力によるインキの流れを妨げない構造となる。
【発明の効果】
【０００９】
本発明の二重ペン芯構造の万年筆によれば、軸筒からのペン体やペン芯の抜け落ちを防ぎ、且つ外芯の変形による筆記不良が生じない構造を得ることができる。
【図面の簡単な説明】
【００１０】
【図１】図１は、本発明の万年筆の要部を示す斜視図である。
【図２】図２は、図１の万年筆の分解図である。
【図３】図３は、ペン体とペン芯とを重ねて軸筒に装着する工程を示す図である。
【図４】図４は、図１の縦断面図である。
【図５】図５は、図４のＡ−Ａ線断面拡大図である。
【図６】図６は、図４のＢ−Ｂ線断面拡大図である。
【図７】図７は、図４のＣ−Ｃ線断面拡大図である。
【発明を実施するための形態】
【００１１】
次に、図面を参照しながら説明を行うが、本発明は以下の実施例に限定されるものではない。また図中の同じ部材、同じ部品については、同じ符号としてある。
【００１２】
図１は本実施例の万年筆における要部の斜視図であり、インキを収容したカートリッジとの関係を示している。図２は図１に示した万年筆の分解図である。図１に示す万年筆１は、ペン体２をペン芯３に重ね、ペン体２の後方を長く延設した後方挿着部２ａと、ペン芯３の後方を長く延設した後方挿着部３ａとを、後部軸筒（図示せず）と螺合させて軸筒を形成する前部軸筒４の前方開口部４ａに圧入して嵌着してある。ペン芯３の後端部には突出した小径部３ｂを形成して、前部軸筒４の後方開口部４ｂからインキ収容室５ａにインキ（図示せず）を収容したカートリッジ５の開口部５ｂに挿着するようにしてある。カートリッジ５内のインキは、ペン芯３により前方へ流出し、ペン体２の丸孔２ｂの前方に形成した切り割り２ｃの毛細管力により筆記端２ｄまで達して筆記を可能とする。
【００１３】
本実施例のペン芯３は、図２に示すように、外芯３１と内芯３２とを組み合わせてなる二重ペン芯構造である。外芯３１の中心部には軸心方向に延びる貫通孔３１ａを形成してあり、外芯３１の外側面に複数の櫛溝３１ｂを形成し、上方にインキ溝３１ｃを形成し、外側面の中間部の下方に二つの突起３１ｄを設け、該突起３１ｄの上方位置にインキ溝３１ｃの内側壁３１ｅ間を横架するリブ３１ｆを形成し、該リブ３１ｆの上方に浅溝３１ｇを形成してある。尚、外芯３１のインキ溝３１ｃは、ペン芯３の先端部から小径部３ｂの前方に形成した鍔部３１ｈの前端手前まで形成してあり、貫通孔３１ａの上部と連通させており、内芯３２を外芯３１の貫通孔３１ａに挿着した状態で、内芯の上方に形成したインキ流通路３２ａと連設するようにしてある。本実施例の内芯３２は、横断面形状を半円形状に形成してあり、外芯３１に形成した円形状の貫通孔３１ａに挿着した状態で、内芯３２の下面３２ｂと貫通孔３１ａとの間で空気が通る空気通路３ｃ（図４参照）が形成される構造としてある。
【００１４】
次に図３を用いて、ペン体２およびペン芯３を前部軸筒４に挿着する工程について説明を行う。本実施例では、ペン芯３にペン体２を重ねて、後方挿着部２ａおよび後方挿着部３ａを一緒にして前部軸筒４の前方開口部４ａへ挿着させるが、ペン芯３には突起３１ｄが設けられていることから、突起３１ｄを設けた位置が前部軸筒４の内側壁４ｃに対して最も強く当接して、図１に示した状態に組み上がる。また、本実施例におけるペン体２の後方挿着部２ａは、図３に示すＬ１の区間であり、ペン芯３の後方挿着部３ａは図３に示すＬ２の区間であり、したがって突起３１ｄはペン芯３の後方挿着部３ａに設けられており、前部軸筒４内に挿着される。
【００１５】
次に、図１の縦断面図である図４およびその横断面図である図５，図６，図７を用いて、インキの流れについて説明を行う。ペン芯３の小径部３ｂに装着したカートリッジ５に収容したインキ（図示せず）は、内芯３２のインキ流通路３２ａを通り、外芯３１のインキ溝３１ｃまた内芯３２のインキ流通路３２ａを通って筆記端２まで供給される。また、本実施例では、図６に示すように、浅溝３１ｇの深さ寸法Ｈをインキ溝３１ｃの巾寸法Ｗより大きく形成してあることから、インキ溝３１ｃを通過するインキは、インキ溝３１ｃに形成したリブ３１ｆの前後で後部インキ溝３１ｉから浅溝３１ｇに、浅溝３１ｇから前部インキ溝３１ｊに至るまで、毛細管力が途切れることなくスムーズに流れることができた。尚、ペン体２の後方挿着部２ａおよびペン芯３の後方挿着部３ａを前部軸筒４の前方開口部４ａに圧入した際に、外芯３１における横断面において突起３１ｄを設けた位置にインキ溝３１ｃの巾を狭める方向の力が働くが、本実施例では、外芯３１の軸心方向において突起３１ｄの位置と同じ位置にリブ３１ｆを設けてあることから、インキ溝３１ｃの巾が狭まることはなかった。
【産業上の利用可能性】
【００１６】
本発明は、二重ペン芯構造の万年筆において好適であり、また二重ペン芯でない一般的なペン芯の万年筆にも利用可能である。
【符号の説明】
【００１７】
１…万年筆、
２…ペン体、２ａ…後方挿着部、２ｂ…丸孔、２ｃ…切り割り、２ｄ…筆記端、
３…ペン芯、３ａ…後方挿着部、３ｂ…小径部、３ｃ…空気通路、
３１…外芯、３１ａ…貫通孔、３１ｂ…櫛溝、３１ｃ…インキ溝、３１ｄ…突起、
３１ｅ…内側壁、３１ｆ…リブ、３１ｇ…浅溝、３１ｈ…鍔部、
３１ｉ…後部インキ溝、３１ｊ…前部インキ溝、
３２…内芯、３２ａ…インキ流通路、
４…前部軸筒、４ａ…前方開口部、４ｂ…後方開口部、４ｃ…内側壁、
５…カートリッジ、５ａ…インキ収容室、５ｂ…開口部。
【図１】
0005763956.tif 000002
【図２】
0005763956.tif 000003
【図３】
0005763956.tif 000004
【図４】
0005763956.tif 000005
【図５】
0005763956.tif 000006
【図６】
0005763956.tif 000007
【図７】
0005763956.tif 000008